(57)【要約】  【課題】  被介護者だけではなくそれ以外の者にとっても快適に入浴できる、浴槽手すりを提供する。  【解決手段】  浴槽手すり１０は、上板１２と上板１２の一端部に設けられる第１側部１４と上板１２の他端部に設けられる第２側部１６とを含む枠体１８、第１側部１４の内側に第２側部１６と対向するように設けられる挟持板２０、挟持板２０を第２側部１６に対して進退させる移動手段２２、および枠体１８に立設される把手２４を備え、第２側部１６と挟持板２０とで浴槽上縁部９２を挟持することによって浴槽上縁部９２に取付けられる。把手２４は枠体１８に着脱自在に設けられる。【選択図】      図４
0003103417.tif 000002
【実用新案登録請求の範囲】
【請求項１】
上板と前記上板の一端部に設けられる第１側部と前記上板の他端部に設けられる第２側部とを含む枠体、前記第１側部の内側に前記第２側部と対向するように設けられる挟持板、前記挟持板を前記第２側部に対して進退させる移動手段、および前記枠体に立設される把手を備え、前記第２側部と前記挟持板とで浴槽上縁部を挟持することによって前記浴槽上縁部に取付けられる浴槽手すりであって、
前記把手は前記枠体に着脱自在に設けられることを特徴とする、浴槽手すり。 
【請求項２】
前記枠体は前記把手を保持するための保持孔を有し、
前記把手は、把手本体と前記把手本体の端部に設けられ前記保持孔に挿入すべき挿入部とを有する、請求項１に記載の浴槽手すり。
【請求項３】
前記保持孔は、前記上板から前記第１側部にかけて形成される複数の長孔と前記各長孔から前記第１側部外面に至る貫通孔とを含み、
前記挿入部は、前記各長孔に挿入される筒状部と前記筒状部の側面から突出可能に設けられる突部とを含み、前記突部は外方に弾発されかつ前記長孔に前記筒状部が挿入されたとき前記貫通孔に嵌入可能な位置に設けられる、請求項２に記載の浴槽手すり。
【請求項４】
前記把手は、その上部が前記上板の他端部側に傾くように構成される、請求項３に記載の浴槽手すり。
【請求項５】
前記第２側部の外側面に取り付けられる補助把手と、前記補助把手の取り付け角度を変更するための角度変更手段とをさらに含む、請求項１から４のいずれかに記載の浴槽手すり。
【請求項６】
前記角度変更手段は、前記第２側部の外側面に当該外側面の中心から所定の角度間隔で設けられる複数の凹部と、前記補助把手の取り付け面に形成され前記凹部と嵌合可能な凸部とを含む、請求項５に記載の浴槽手すり。
【考案の詳細な説明】
【技術分野】
【０００１】
この考案は浴槽手すりに関し、より特定的には、入浴者の安全を図るために浴槽の上縁部に取り付けられる、浴槽手すりに関する。
【背景技術】
【０００２】
従来、老人など介護を要する人が入浴する際の安全を図るために浴槽上縁部に取り付けられる浴槽手すりが知られている。この種の従来技術の一例が特許文献１において開示されている。ここでは、コの字枠の一側面から把手を立設し、他側面にはボルト杆を螺着し、該ボルト杆先端に挟持板を取り付け、該コの字枠の側面と該挟持板とによって浴槽上縁部を挟持することによって浴槽上縁部に取り付けられる浴槽手すりであって、該他側面の上縁部からは湾曲する補助把手を下方に向けて差し出した浴槽手すりが提案されている。
【特許文献１】特開２００３−１２５９６４号公報
【考案の開示】
【考案が解決しようとする課題】
【０００３】
このような浴槽手すりを家庭で使用する場合、当該浴槽手すりを浴室の浴槽上縁部に使用時にだけ取り付けるのは面倒であるので、常時取り付けて使用することが多い。この場合、被介護者が入浴するときは問題ないが、他の者が入浴するときは浴槽手すりのコの字枠に一体的に固定されている把手が邪魔になり、入浴しづらくなってしまう。浴槽上縁部から浴槽手すりを取り外せばこの問題は解消するが、浴槽手すりを頻繁に着脱するのは煩わしい。
【０００４】
また、従来、この種の浴槽手すりの商品開発・改良の視点は、被介護者の立場に立ったものであり、それ以外の者の立場に立ったものではなかった。
【０００５】
それゆえに、この考案の主たる目的は、被介護者だけではなくそれ以外の者にとっても快適に入浴できる、浴槽手すりを提供することである。
【課題を解決するための手段】
【０００６】
上述の目的を達成するために、請求項１に記載の浴槽手すりは、上板と上板の一端部に設けられる第１側部と上板の他端部に設けられる第２側部とを含む枠体、第１側部の内側に第２側部と対向するように設けられる挟持板、挟持板を第２側部に対して進退させる移動手段、および枠体に立設される把手を備え、第２側部と挟持板とで浴槽上縁部を挟持することによって浴槽上縁部に取付けられる浴槽手すりであって、把手は枠体に着脱自在に設けられることを特徴とする。
【０００７】
請求項２に記載の浴槽手すりは、請求項１に記載の浴槽手すりにおいて、枠体は把手を保持するための保持孔を有し、把手は、把手本体と把手本体の端部に設けられ保持孔に挿入すべき挿入部とを有することを特徴とする。
【０００８】
請求項３に記載の浴槽手すりは、請求項２に記載の浴槽手すりにおいて、保持孔は、上板から第１側部にかけて形成される複数の長孔と各長孔から第１側部外面に至る貫通孔とを含み、挿入部は、各長孔に挿入される筒状部と筒状部の側面から突出可能に設けられる突部とを含み、突部は外方に弾発されかつ長孔に筒状部が挿入されたとき貫通孔に嵌入可能な位置に設けられることを特徴とする。
【０００９】
請求項４に記載の浴槽手すりは、請求項３に記載の浴槽手すりにおいて、把手は、その上部が上板の他端部側に傾くように構成されることを特徴とする。
【００１０】
請求項５に記載の浴槽手すりは、請求項１から４のいずれかに記載の浴槽手すりにおいて、第２側部の外側面に取り付けられる補助把手と、補助把手の取り付け角度を変更するための角度変更手段とをさらに含むことを特徴とする。
【００１１】
請求項６に記載の浴槽手すりは、請求項５に記載の浴槽手すりにおいて、角度変更手段は、第２側部の外側面に当該外側面の中心から所定の角度間隔で設けられる複数の凹部と、補助把手の取り付け面に形成され凹部と嵌合可能な凸部とを含むことを特徴とする。
【００１２】
請求項１に記載の浴槽手すりでは、把手は枠体に着脱自在に設けられるので、被介護者が入浴するときは把手を枠体に装着しておき、それ以外の者が入浴するときは把手を取り外せばよい。これによって、浴槽手すり自体（全体）を浴槽上縁部から取り外すことなく、被介護者およびその他の者がともに快適に入浴できる。この発明は、被介護者だけでなくその他の者にとっても快適に入浴できる浴槽手すりが得られたという点で特に意義が大きい。
【００１３】
請求項２に記載の浴槽手すりでは、枠体の保持孔に把手の挿入部を挿入し、また枠体の保持孔から把手の挿入部を引き抜くだけで、把手を枠体に容易に着脱できる。
【００１４】
請求項３に記載の浴槽手すりでは、把手の棒状部の側面に設けられた突部を内方に引き込めた状態で把手の各筒状部を対応する長孔に挿入していき、当該突部を弾発力によって対応する貫通孔内へ嵌入するだけで、長孔に対して筒状部を固定でき、把手を枠体に簡単に装着できる。一方、第１側部の貫通孔に嵌入された突部を指などで内方へ押し込み、把手の筒状部を保持孔の長孔から引き抜くだけで、把手を枠体から簡単に取り外すことができる。このようにワンタッチ操作で把手を枠体に着脱できるので、ネジ式の場合よりも格段に着脱が容易となる。
【００１５】
上板の一端部側に取り付けられた把手が、その上部が上板の他端部側に傾くように構成される場合には、被介護者にとっては当該把手を握りやすくなるが、それ以外の者の入浴時には把手はなお一層邪魔になる。したがって、請求項４に記載の浴槽手すりでは、当該把手を簡単に着脱可能とすることによって、被介護者以外の者が入浴時に容易に把手を取り外すことができ快適に入浴できる。
【００１６】
請求項５に記載の浴槽手すりでは、第２側部の外側面に取り付けられる補助把手の取り付け角度を変更できるので、使用者の所望の角度に補助把手を固定できる。
【００１７】
請求項６に記載の浴槽手すりでは、第２側部の外側面の所望の凹部に補助把手の取り付け面の凸部を嵌合するだけで、補助把手の角度を容易に設定できる。
【考案の効果】
【００１８】
この発明によれば、浴槽手すりの把手以外の部分を浴槽上縁部から取り外す必要がなく、被介護者およびその他の者がともに快適に入浴できる。
【考案を実施するための最良の形態】
【００１９】
以下、図面を参照してこの考案の実施形態について説明する。
図１および図２を参照して、この発明の一実施形態の浴槽手すり１０は、上板１２と当該上板１２の一端部に設けられる第１側部１４と当該上板１２の他端部に設けられる第２側部１６とを含む枠体１８、第１側部１４の内側に第２側部１６と対向するように設けられ挟持板２０、当該挟持板２０を第２側部１６に対して進退させる移動手段２２、枠体１８に着脱自在に立設される把手２４、第２側部１６の外側面２６（図４参照）に取り付けられる補助把手２８、および第１側部１４の外側面に設けられるブザー３０を備える。
【００２０】
図３をも参照して、上板１２の下面中央部には長さ方向（矢印Ａ方向）に延びる溝部３２が形成され、第１側部１４の内側面中央部には縦方向に延びる凹部３４が形成される。移動手段２２はＬ字状の移動体３６を含み、移動体３６はともに直方体状の水平部３８と垂直部４０とを有する。水平部３８は溝部３２に嵌入され、かつ内周面に雌ねじが形成された中空部を有する。垂直部４０は、その略上半部が凹部３４に収納可能（移動体３６が第２側部１６に対して最も後退したとき）に構成される。
【００２１】
水平部３８にはネジ部材４２が螺入され、ネジ部材４２の後端部にはハンドル４４が取り付けられる。ネジ部材４２の先端部は上板１２に固定された保持部材４６に挿通され、当該先端部にはストップカラー４８が取り付けられる。ハンドル４４を回転させることによって、ネジ部４２は回転するが、移動体３６は回転不可能でありネジ部４２に沿って矢印Ａ方向に移動可能となる。
【００２２】
このような移動手段２２の垂直部４０の内側面にはボルト５０によって挟持板２０が取り付けられる。したがって、ハンドル４４を回転することによって挟持板２０を第２側部１６に対して進退させることができる。なお、第２側部１６の内側面および挟持板２０の内側面にはそれぞれ、滑り止めおよび浴槽保護のためゴムシート１６ａおよび２０ａが形成される。
【００２３】
ついで、図４および図５を参照して、枠体１８の上板１２の第１側部１４側上面にはやや浅い窪み５２が形成され、その窪み５２には把手２４を保持するための保持孔５４が形成される。保持孔５４は、上板１２の第１側部１４側上面から第１側部１４内にかけて形成される略断面円形の２つの長孔５６と各長孔５６から第１側部１４の外面に至る貫通孔５８とを含む。さらに、長孔５６の開口部には、突部６８（後述）の引き込みおよび長孔５６への挿入を容易にするための凹部６０が形成される。
【００２４】
また、把手２４は、把手本体６２と当該把手本体６２の下端部に設けられ保持孔５４に挿入すべき挿入部６４とを有する。把手本体６２は、把持しやすいように略環状に形成されその上部が上板１２の他端部側に傾くように構成される。挿入部６４は、各長孔５６に挿入される計２本の筒状部６６と筒状部６６の側面から突出可能に設けられる突部６８とを含む。筒状部６６内には板ばね７０が配置される。突部６８は、当該板ばね７０によって外方に弾発されかつ長孔５６に筒状部６６が挿入されたとき貫通孔５８に嵌入可能な位置に設けられる。
【００２５】
このような構成により、把手２４が枠体１８に着脱可能となり、把手２４を取り外したときには、図６に示す略短冊状のプレート部材７２が上板１２の窪み５２に取り付けられ、図７に示すような状態となる。
【００２６】
図４に戻って、第２側部１６の外側面２６には当該外側面２６の中心から所定の角度間隔で複数（この実施形態では８個）の凹部７４が設けられ、その中心にはネジ孔７６が形成される。補助把手２８は略環状の補助把手本体７８と円板状の取り付け部８０とを含む。図８に示すように、取り付け部８０の取り付け面８２には凹部７４と嵌合可能な凸部８４が形成される。凹部７４と凸部８４とによって、補助把手２８の取り付け角度を変更するための角度変更手段が構成され、この実施形態では、８つの凹部７４と凸部８４との組み合わせによって、７段階の取り付け角度が得られ、たとえば図９（ａ）〜（ｇ）に示すように補助把手２８すなわち補助把手本体７８の取り付け角度を調整できる。さらに、補助把手２８には、貫通孔８６および８８が形成される。図３に示すように、ボルト９０を貫通孔８８に挿入しネジ孔７６に螺入することによって、補助把手２８を第２側部１６に取り付けることができる。ボルト９０の着脱は、貫通孔８６を通したドライバ（図示せず）によって行える。
【００２７】
図１０に示すように、このような浴槽手すり１０は、第２側部１６が浴槽内側、挟持板２０が浴槽外側になるように配置され、第２側部１６の内側面と挟持板２０の内側面とで浴槽上縁部９２を挟持することによって浴槽上縁部９２に取付けられる。
【００２８】
浴槽手すり１０によれば、把手２４は枠体１８に着脱自在に設けられるので、被介護者が入浴するときは把手２４を枠体１８に装着しておき、それ以外の者が入浴するときは把手２４を取り外せばよい。これによって、浴槽手すり１０自体（全体）を浴槽上縁部９２から取り外すことなく、被介護者およびその他の者がともに快適に入浴できる。
【００２９】
また、把手２４の筒状部６６の側面から突出する突部６８を内方に引き込めた状態で把手２４の各筒状部６６を対応する長孔５６に挿入していき、当該突部６８を板ばね７０の弾発力によって対応する貫通孔５８内へ嵌入するだけで、長孔５６に対して筒状部６６を固定でき、把手２４を枠体１８に簡単に装着できる。一方、第１側部１４の貫通孔５８内に嵌入された突部６８を指などで内方に押し込み、把手１８の筒状部６６を保持孔５４の長孔５６から引き抜くだけで、把手２４を枠体１８から簡単に取り外すことができる。このようなワンタッチ操作で簡単に把手２４を枠体１８に着脱できる。
【００３０】
さらに、上板１２の一端部側に取り付けられた把手２４の上部が上板１２の他端部側に傾くように把手２４が構成されていても、当該把手２４を簡単に着脱できるので、被介護者以外の者が入浴時に容易に把手２４を取り外すことができ快適に入浴できる。
【００３１】
また、ボルト９０を緩め第２側部の外側面２６の所望の凹部７４に補助把手２８の取り付け面８２の凸部８４を嵌合しボルト９０を締めるだけで、補助把手２８の取り付け角度を容易に変更でき、使用者の所望の角度に補助把手２８を容易に固定できる。
【００３２】
さらに、浴槽上縁部９２に浴槽手すり１０を取り付けた状態でも、風呂蓋を閉めることができるので、浴槽内の湯の保温も容易となる。
【００３３】
また、ブザー３０を押して音を鳴らすことによって、同居の者へ容易に介助を求めることができる。
【００３４】
なお、枠体１８の保持孔５４および把手２４の挿入部６４の構成は、上述の実施形態に限定されず、枠体１８に把手２４を着脱可能である限りにおいて任意でよい。
【図面の簡単な説明】
【００３５】
【図１】この発明の一実施形態を上方からみた斜視図である。
【図２】図１の実施形態を下方からみた斜視図である。
【図３】図１の実施形態を示す正面断面図解図である。
【図４】図１の実施形態を示す分解斜視図である。
【図５】図１の実施形態を示す側面断面図解図である。
【図６】プレート部材の一例を示す斜視図である。
【図７】図１の実施形態において把手に替えてプレート部材を取り付けた状態を示す斜視図である。
【図８】補助把手を示す斜視図である。
【図９】補助把手の取り付け角度の一例を示す側面図である。
【図１０】図１の実施形態を浴槽上縁部に取り付けた状態の一例を示す図解図である。
【符号の説明】
【００３６】
１０      浴槽手すり
１２      上板
１４      第１側部
１６      第２側部
１８      枠体
２０      挟持板
２２      移動手段
２４      把手
２６      第２側部の外側面
２８      補助把手
５４      保持孔
５６      長孔
５８      貫通孔
６２      把手本体
６４      挿入部
６６      筒状部
６８      突部
７０      板ばね
７４      凹部
８２      補助把手の取り付け面
８４      凸部
９２      浴槽上縁部
【図１】
0003103417.tif 000003
【図２】
0003103417.tif 000004
【図３】
0003103417.tif 000005
【図４】
0003103417.tif 000006
【図５】
0003103417.tif 000007
【図６】
0003103417.tif 000008
【図７】
0003103417.tif 000009
【図８】
0003103417.tif 000010
【図９】
0003103417.tif 000011
【図１０】
0003103417.tif 000012